(57)【要約】【課題】１台で、複数種類の加熱が可能であったり、様々な種類の食品の加熱に対応可能であったりするハイブリッドオーブンを提供する。【解決手段】ハイブリッドオーブン１０は、食品７を加熱するための加熱室１２を内部に有するオーブン本体１１と、加熱室１２を複数の加熱領域Ｒｉに区画する仕切り部材１３と、食品７を搬送可能であり複数の加熱領域Ｒｉを順に通過させるコンベヤ１４と、電気又はガスによって食品を加熱するためのヒータ１５と、蒸気を噴出する蒸気噴出器１６と、加熱室１２内の温度を測定するための温度センサ１７とを備えている。仕切り部材１３によって区画されている複数の加熱領域Ｒｉのそれぞれに、ヒータ１５、蒸気噴出器１６、及び温度センサ１７が設けられている。【選択図】      図１
2018201766.tif 000002
【特許請求の範囲】
【請求項１】
食品を加熱するための加熱室を内部に有するオーブン本体と、前記加熱室を複数の加熱領域に区画する仕切り部材と、食品を搬送可能であり複数の前記加熱領域を順に通過させるコンベヤと、電気又はガスによって食品を加熱するためのヒータと、蒸気を噴出する蒸気噴出器と、前記加熱室内の温度を測定するための温度センサと、を備え、
前記仕切り部材によって区画されている複数の前記加熱領域のそれぞれに、前記ヒータ、前記蒸気噴出器、及び前記温度センサが設けられている、ハイブリッドオーブン。
【請求項２】
前記ヒータは、前記加熱領域それぞれにおいて、前記コンベヤによる食品の搬送路の上方位置及び当該搬送路の下方位置のそれぞれに設けられている、請求項１に記載のハイブリッドオーブン。
【請求項３】
前記温度センサは、前記加熱領域それぞれにおいて、前記搬送路よりも上方位置及び前記搬送路よりも下方位置のそれぞれにおける温度を測定する、請求項２に記載のハイブリッドオーブン。
【請求項４】
過熱蒸気と飽和蒸気とを切り替えて前記蒸気噴出器から噴出させるための切り替え部を備えている、請求項１〜３のいずれか一項に記載のハイブリッドオーブン。
【請求項５】
前記ヒータ及び前記蒸気噴出器の双方を機能させる第一動作と、前記ヒータと前記蒸気噴出器との内の一方のみを機能させる第二動作と、を選択して食品を加熱する制御を行う制御部を備えている、請求項１〜４のいずれか一項に記載のハイブリッドオーブン。
【請求項６】
前記制御部は、前記第一動作と前記第二動作とを前記加熱領域それぞれにおいて個別に選択して食品を加熱する制御を実行可能である、請求項５に記載のハイブリッドオーブン。
【請求項７】
前記制御部は、前記第一動作が選択された場合、前記ヒータと前記蒸気噴出器との内の一方の出力を一定とし、前記ヒータと前記蒸気噴出器との内の他方の出力を可変とする制御を行う、請求項５又は６に記載のハイブリッドオーブン。
【請求項８】
前記オーブン本体の外側であって、前記コンベヤによる食品の搬送方向の上流側及び下流側それぞれに、前記加熱室と連続すると共に前記コンベヤによって食品が通過するトンネル状の予備室が設置されている、請求項１〜７のいずれか一項に記載のハイブリッドオーブン。
【請求項９】
前記コンベヤによる食品の搬送路の上方位置に設けられている前記ヒータは、その下側において金網により覆われており、当該金網の網目が部分的に異なっている、請求項１〜８のいずれか一項に記載のハイブリッドオーブン。
【請求項１０】
前記コンベヤによる食品の搬送路の上方位置に設けられている前記ヒータは、その下側において金網により覆われており、
前記搬送路の下方位置に設けられている前記ヒータは、当該搬送路側に露出している、請求項１〜９のいずれか一項に記載のハイブリッドオーブン。
【請求項１１】
前記仕切り部材は、前記コンベヤによる食品の搬送路の上側と下側と左右両側にそれぞれ設けられており、
前記コンベヤは、無端軌道を含み、かつ、食品を載せるコンベヤ上面は前記加熱室を通過するが、折り返しのコンベヤ下面は前記加熱室の外部を通過する構成であり、
下側の前記仕切り部材は、前記コンベヤの食品を載せるコンベヤ上面と、前記オーブン本体の内壁下面との間に設けられている、請求項１〜１０のいずれか一項に記載のハイブリッドオーブン。
【請求項１２】
前記コンベヤによる食品の搬送路よりも上側に設けられている前記ヒータは、フレームと、当該フレームの一部に格納されているガスバーナと、前記フレームに並列して設けられ前記ガスバーナによる炎を内部に引き込み可能である複数本の輻射管と、を有するガス焚きパネルヒータであり、
前記搬送路よりも下側に設けられている前記ヒータは、エアとガスとにより炎を得るリボンバーナと、当該リボンバーナに沿って設けられエアを放出するエア配管と、前記リボンバーナ及び前記エア配管を収容すると共に上方に開口している外側管と、を有する二重管ガスヒータにより構成されている、請求項１〜１１のいずれか一項に記載のハイブリッドオーブン。
【請求項１３】
前記仕切り部材の下縁は、左右方向の端部が低くなる傾斜形状を有している、請求項１〜１２のいずれか一項に記載のハイブリッドオーブン。
【請求項１４】
前記蒸気噴出器は、前記コンベヤによる食品の搬送路よりも下側に設けられ、かつ、蒸気を噴出する噴出口が複数形成されている配管を複数本有し、
一つの前記配管から噴出する蒸気と他の前記配管から噴出する蒸気とが衝突する向きに前記噴出口は位置している、請求項１〜１３のいずれか一項に記載のハイブリッドオーブン。
【発明の詳細な説明】
【技術分野】
【０００１】
本発明は、食品を搬送しながら加熱するハイブリッドオーブンに関する。
【背景技術】
【０００２】
パンやお菓子などの食品を生産するラインにはオーブンが設けられており、オーブンによって食品を加熱調理している。例えば特許文献１には、食品を搬送しながら加熱調理するオーブンが開示されている。このオーブンは、食品を加熱するための加熱装置として、電気ヒータ及びファンモータを有しており、オーブン本体内の加熱室において食品を搬送しながら焼成を行うことができる。
【先行技術文献】
【特許文献】
【０００３】
【特許文献１】特開２００２−１６６号公報
【発明の概要】
【発明が解決しようとする課題】
【０００４】
前記オーブンによれば、食品を、加熱室を通過させながら焼成することが可能であるが、たとえ加熱室の前半と後半とで設定温度（焼成条件）を異ならせたとしても、全体として行われる加熱調理は電気ヒータによる熱を循環させて行う焼成のみである。このため、その食品に対して更に別種類の加熱調理（例えば蒸し焼き）が必要となる場合、他の調理器（スチームオーブン）に食品を再投入する必要がある。また、例えばパンとピザと中華まんじゅうのように食品の種類が異なると、全く別の調理器（オーブン）が必要となる。このように従来では、一つの食品を調理するために複数台の調理器を要し、また、食品が異なると新たな調理器が必要となり、設備費用が高くなるという問題点がある。
【０００５】
そこで、本発明は、１台で、複数種類の加熱が可能であったり、様々な種類の食品の加熱に対応可能であったりするハイブリッドオーブンを提供することを目的とする。
【課題を解決するための手段】
【０００６】
本発明のハイブリッドオーブンは、食品を加熱するための加熱室を内部に有するオーブン本体と、前記加熱室を複数の加熱領域に区画する仕切り部材と、食品を搬送可能であり複数の前記加熱領域を順に通過させるコンベヤと、電気又はガスによって食品を加熱するためのヒータと、蒸気を噴出する蒸気噴出器と、前記加熱室内の温度を測定するための温度センサと、を備え、前記仕切り部材によって区画されている複数の前記加熱領域のそれぞれに、前記ヒータ、前記蒸気噴出器、及び前記温度センサが設けられている。
このハイブリッドオーブンによれば、食品を、複数の加熱領域を順に通過させながら、これら加熱領域それぞれにおいて異なる加熱を行うことが可能となり、このハイブリッドオーブン１台で、様々な種類の食品の加熱に対応することが可能となる。
【０００７】
また、前記ヒータは、前記加熱領域それぞれにおいて、前記コンベヤによる食品の搬送路の上方位置及び当該搬送路の下方位置のそれぞれに設けられているのが好ましい。この構成によれば、加熱領域それぞれにおいて、食品の上側と下側とでヒータの出力を相違させて加熱することも可能となる。
また、前記温度センサは、前記加熱領域それぞれにおいて、前記搬送路よりも上方位置及び前記搬送路よりも下方位置のそれぞれにおける温度を測定するのが好ましい。この構成によれば、加熱領域それぞれにおいて、前記搬送路よりも上方位置及び下方位置それぞれの雰囲気温度を管理して加熱することができ、食品の上側と下側とでヒータの出力を相違させて加熱することも可能となる。
【０００８】
また、前記ハイブリッドオーブンは、更に、過熱蒸気と飽和蒸気とを切り替えて前記蒸気噴出器から噴出させるための切り替え部を備えているのが好ましい。この構成によれば、加熱領域それぞれにおいて、食品の種類や加熱の種類に応じて過熱蒸気と飽和蒸気とを使い分けることができる。
【０００９】
また、前記ハイブリッドオーブンは、前記ヒータ及び前記蒸気噴出器の双方を機能させる第一動作と、前記ヒータと前記蒸気噴出器との内の一方のみを機能させる第二動作と、を選択して食品を加熱する制御を行う制御部を備えているのが好ましい。この構成によれば、前記第一動作と前記第二動作との内の一方を選択して加熱することが可能となる。
また、前記制御部は、前記第一動作と前記第二動作とを前記加熱領域それぞれにおいて個別に選択して食品を加熱する制御を実行可能であるのが好ましい。この構成によれば、加熱領域それぞれにおいて、前記第一動作と前記第二動作との内の一方を選択して加熱することが可能となり、加熱領域それぞれで異なる工程を行うことができる。
また、この場合において、加熱領域それぞれにおける温度管理（温度制御）が複雑とならないように、前記制御部は、前記第一動作が選択された場合、前記ヒータと前記蒸気噴出器との内の一方の出力を一定とし、前記ヒータと前記蒸気噴出器との内の他方の出力を可変とする制御を行うのが好ましい。
【００１０】
また、前記オーブン本体の外側であって、前記コンベヤによる食品の搬送方向の上流側及び下流側それぞれに、前記加熱室と連続すると共に前記コンベヤによって食品が通過するトンネル状の予備室が設置されているのが好ましい。この予備室によれば、最も上流側の加熱領域及び最も下流側の加熱領域の蒸気（熱）の漏洩、並びに、これら加熱領域への外気の流入を抑制することができ、エネルギーロスを軽減することができる。更に、加熱領域の温度を安定させ、食品の品質を向上させることが可能となる。
【００１１】
また、前記コンベヤによる食品の搬送路の上方位置に設けられている前記ヒータは、その下側において金網により覆われており、当該金網の網目が部分的に異なっているのが好ましい。この場合、ヒータの熱を金網によって分散させることができ、食品の上面の焼きムラを防ぐことができる。また、ヒータの出力が部分的に高くなることがあっても、このような部分に対向する金網の網目を他よりも狭くすることで、ヒータの熱を均一化し、より一層効果的に焼きムラを防ぐことが可能となる。なお、網目を部分的に異ならせるための構成としては、一枚の金網において部分的に網目を異ならせる他に、一枚の金網に対して別の金網を部分的に重ねてもよい。
【００１２】
また、前記コンベヤによる食品の搬送路の上方位置に設けられている前記ヒータは、その下側において金網により覆われており、前記搬送路の下方位置に設けられている前記ヒータは、当該搬送路側に露出しているのが好ましい。この場合、上側ではヒータの熱を金網によって分散させることができ、食品の上面の焼きムラを防ぐことができる。そして、容器やトレイ等に入れてコンベヤで搬送される食品の下面側は焼きムラが生じにくいため、下側のヒータは金網により覆われておらずに露出していればよい。また、下側のヒータは金網により覆われていないため、例えば食品から異物が落ちても堆積し難く、清掃が容易となる。
【００１３】
また、前記仕切り部材は、前記コンベヤによる食品の搬送路の上側と下側と左右両側にそれぞれ設けられており、前記コンベヤは、無端軌道を含み、かつ、食品を載せるコンベヤ上面は前記加熱室を通過するが、折り返しのコンベヤ下面は前記加熱室の外部を通過する構成であり、下側の前記仕切り部材は、前記コンベヤの食品を載せるコンベヤ上面と、前記オーブン本体の内壁下面との間に設けられているのが好ましい。これにより、上側の仕切り部材と下側の仕切り部材とによって搬送路を上下に挟み、左右両側の仕切り部材によって搬送路を左右に挟む構成となり、搬送路上の必要最小限の開口を残して加熱室を区画することができる。この結果、隣り合う加熱領域の温度等の条件を異ならせるのに好適な構成となる。
【００１４】
また、前記コンベヤによる食品の搬送路よりも上側に設けられている前記ヒータは、フレームと、当該フレームの一部に格納されているガスバーナと、前記フレームに並列して設けられ前記ガスバーナによる炎を内部に引き込み可能である複数本の輻射管と、を有するガス焚きパネルヒータであり、前記搬送路よりも下側に設けられている前記ヒータは、エアとガスとにより炎を得るリボンバーナと、当該リボンバーナに沿って設けられエアを放出するエア配管と、前記リボンバーナ及び前記エア配管を収容すると共に上方に開口している外側管と、を有する二重管ガスヒータにより構成されているのが好ましい。この構成によれば、加熱領域が蒸気の雰囲気になる場合においてヒータが失火しないために好適な構成となる。下側のヒータをリボンバーナとするが、上側のヒータをパネル型とすることで、食品の上面の焼きムラを効果的に防ぐことができる。
【００１５】
また、前記仕切り部材の下縁は、左右方向の端部が低くなる傾斜形状を有しているのが好ましい。この構成によれば、仕切り部材に付着して下縁に到達した水滴を左右方向の端部に集めることができ、水滴（滴）が落下して食品に付着するのを防止し、食品の品質が低下するのを防ぐことが可能となる。
【００１６】
また、前記蒸気噴出器は、前記コンベヤによる食品の搬送路よりも下側に設けられ、かつ、蒸気を噴出する噴出口が複数形成されている配管を複数本有し、一つの前記配管から噴出する蒸気と他の前記配管から噴出する蒸気とが衝突する向きに前記噴出口は位置しているのが好ましい。この構成によれば、過剰な水分を除くことができ、食品の品質を向上させることが可能となる。
【発明の効果】
【００１７】
本発明によれば、複数の加熱領域それぞれにおいて異なる種類の加熱を行うことが可能となり、１台で、様々な種類の食品の加熱に対応することが可能となる。
【図面の簡単な説明】
【００１８】
【図１】ハイブリッドオーブンの側面図である。
【図２】図１のＡ矢視における断面図である。
【図３】ヒータ、蒸気噴出器、温度センサ、及び制御部を示すブロック図である。
【図４】上流側の予備室の説明図である。
【図５】（Ａ）は仕切り部材の説明図であり、（Ｂ）は上側の仕切り部材の下縁を示す説明図である。
【図６】下ヒータ（電気式）を上から見た場合の説明図である。
【図７】上ヒータ（電気式）を下から見た場合の説明図である。
【図８】上ヒータ（ガス式）を上から見た場合の説明図である。
【図９】上ヒータ（ガス式）を側方から見た場合の断面図である。
【図１０】（Ａ）は下ヒータ（ガス式）の側面図であり、（Ｂ）はこの下ヒータの一部を拡大して示す断面図である。
【図１１】（Ａ）は蒸気噴出器を上から見た場合の説明図であり、（Ｂ）は二本の噴出用の配管の断面図である。
【図１２】四つの加熱領域それぞれに分けて設置されている蒸気噴出器と、蒸気発生器から蒸気噴出器までの配管部を説明する構成図である。
【発明を実施するための形態】
【００１９】
〔ハイブリッドオーブンの全体構成〕
図１はハイブリッドオーブンの側面図である。このハイブリッドオーブン１０（以下、単にオーブン１０という。）は、電気又はガス式のヒータによる熱と、蒸気とを併用して、食品７を加熱することができる。なお、後にも説明するが、食品７の種類に応じてヒータと蒸気との内の一方のみを用いて加熱することも可能である。
【００２０】
オーブン１０は、オーブン本体１１、仕切り部材１３、コンベヤ１４、ヒータ１５、蒸気噴出器１６、温度センサ１７、及び制御部２０を備えている。本実施形態のコンベヤ１４は、ネットコンベヤであり、食品７（又はトレイに載せた食品７）を載せて直線的に搬送する。食品７が搬送される方向を、以下において「搬送方向」と呼び、また、コンベヤ１４によって食品７が搬送される領域を「搬送路１８」と呼ぶ。
【００２１】
オーブン本体１１は、食品７を加熱するための加熱室１２を内部に有する筐体により構成されており、この加熱室１２は、仕切り部材１３によって複数の加熱領域に区画されている。本実施形態では、搬送方向に沿った三箇所に仕切り部材１３が設けられており、加熱室１２は四つの加熱領域Ｒｉ（ｉ＝１〜４）に区画されている。搬送方向の上流側から順に第一加熱領域Ｒ１、第二加熱領域Ｒ２、第三加熱領域Ｒ３、及び第四加熱領域Ｒ４が構成されており、食品７は、コンベヤ１４によって、これら加熱領域Ｒ１，Ｒ２，Ｒ３，Ｒ４を順に通過する。オーブン１０は、搬送方向に並ぶ複数の食品７を連続して加熱調理する（連続焼成する）ことができる。図２は、図１のＡ矢視における断面図である。四つの加熱領域Ｒｉ（ｉ＝１〜４）それぞれにおける構成は同じである。
【００２２】
仕切り部材１３によって区画されている四つ加熱領域Ｒｉ（ｉ＝１〜４）のそれぞれに、ヒータ１５、蒸気噴出器１６、及び温度センサ１７が設けられている。ヒータ１５は、四つの加熱領域Ｒｉ（ｉ＝１〜４）それぞれにおいて、搬送路１８の上方位置及び下方位置のそれぞれに設けられている。搬送路１８の上方位置に設けられているヒータ１５を上ヒータと呼び、搬送路１８の下方位置に設けられているヒータ１５を下ヒータと呼ぶ。上ヒータ１５及び下ヒータ１５は、電気又はガスによって搬送路１８の食品７を加熱することができる。ヒータ１５の具体的構成（電気式の場合とガス式の場合）については後に説明する。蒸気噴出器１６は、四つの加熱領域Ｒｉ（ｉ＝１〜４）それぞれにおいて、搬送路１８よりも下側に設けられている。蒸気噴出器１６は、四つの加熱領域Ｒｉ（ｉ＝１〜４）それぞれにおいて蒸気を噴出することが可能であり、蒸気の熱によって搬送路１８の食品７を加熱する。例えばオーブン本体１１上に設置されているボイラを含む蒸気発生器（図示せず）によって発生させた蒸気が、配管により構成されている蒸気噴出器１６に供給され、蒸気噴出器１６から蒸気が噴出される。温度センサ１７は、熱電対により構成されており、四つの加熱領域Ｒｉそれぞれにおいて、上温度センサ１７と下温度センサ１７とが設けられている。つまり、加熱領域Ｒｉ（ｉ＝１〜４）それぞれにおいて、搬送路１８よりも上方位置及び下方位置のそれぞれにおける温度が測定される。これにより、加熱領域Ｒｉ（ｉ＝１〜４）それぞれにおいて、温度センサ１７を用いて搬送路１８よりも上方位置及び下方位置それぞれの雰囲気温度を管理して、ヒータ１５と蒸気噴出器１６との一方又は双方により食品７を加熱することができる。そして、食品７の上側と下側とでヒータ１５の出力を相違させて加熱することも可能となる。
【００２３】
図３は、ヒータ１５、蒸気噴出器１６、温度センサ１７、及び制御部２０を示すブロック図である。制御部２０はプログラマブルロジックコントローラにより構成されている。加熱領域Ｒｉそれぞれに設置されている上下の温度センサ１７による測定結果は制御部２０に入力される。制御部２０の制御によって、加熱領域Ｒｉそれぞれに設置されている上下のヒータ１５及び蒸気噴出器１６のオン（稼働）又はオフ（停止）が切り替えられ、また、オンの場合にそれぞれの出力が調整される。温度センサ１７を用いた温度計測結果に応じて、制御部２０はヒータ１５と蒸気噴出器１６との内の一方又は双方の出力を制御（フィードバック制御）することができる。図３において、上下ヒータ１５、蒸気噴出器１６、及び上下温度センサ１７それぞれに関して、第一加熱領域Ｒ１に設置されるものには「第一」を付している。以下、第二、第三、第四についても同様である。
【００２４】
このような構成を備えているオーブン１０が、１台で行うことのできる加熱（加熱調理）の種類としては、蒸し、焼き、蒸し焼き等であり、これら蒸し、焼き、蒸し焼き等の少なくとも一つを選択的に行うことができる。「蒸し」は、蒸気噴出器１６を稼働させる（ヒータ１５を停止させてもよい）。「焼き」はヒータ１５を稼働させる（蒸気噴出器１６を停止させてもよい）。「蒸し焼き」はスチーム焼成であり、蒸気噴出器１６及びヒータ１５を稼働させる。また、このオーブン１０は、一つの加熱領域Ｒｉにおいて、蒸し、焼き、蒸し焼きの内の一つの加熱調理を行うことができ、別の加熱領域Ｒｉにおいても、蒸し、焼き、蒸し焼きの内の一つの加熱調理を行うことができる。更に、前記一つの加熱領域Ｒｉと前記別の加熱領域Ｒｉとで加熱調理の種類を同じとする単一加熱調理と、前記一つの加熱領域Ｒｉと前記別の加熱領域Ｒｉとで加熱調理の種類を異ならせる複合加熱調理との内の一方を行うことができる。例えば第一加熱領域Ｒ１では蒸し焼きを行い、他の加熱領域Ｒ２，Ｒ３，Ｒ４では焼きを行うことができる。作業者が制御部２０に対して加熱領域Ｒｉそれぞれにおける加熱調理の種類を選択することで、その選択に応じて制御部２０は加熱領域Ｒｉそれぞれにおいてヒータ１５と蒸気噴出器１６との内の一方又は双方を稼働させて加熱調理を実行する。
【００２５】
以上のように、仕切り部材１３によって区画されている四つの加熱領域Ｒ１，Ｒ２，Ｒ３，Ｒ４のそれぞれに、ヒータ１５、蒸気噴出器１６、及び温度センサ１７が設けられている。なお、仕切り部材１３の数は変更可能であり、加熱領域Ｒｉの数を四つ以外とすることができる。このオーブン１０によれば、食品７を、四つの加熱領域Ｒ１，Ｒ２，Ｒ３，Ｒ４を順に通過させながら、これら加熱領域Ｒ１，Ｒ２，Ｒ３，Ｒ４それぞれにおいて異なる加熱調理（例えば、温度条件が異なる加熱調理）を行うことも可能となり、この１台のオーブン１０で、様々な種類の食品の加熱に対応することが可能となる。また、蒸し焼きは、湿熱加熱となり、加湿しながら焼き（焼成）を行う。これにより、食品７に熱の伝わりが早くなり調理時間を短縮することが可能となる。
【００２６】
図１に示すオーブン１０は、更に、オーブン本体１１の外側であって搬送方向の上流側及び下流側に予備室２１，２２が設置されている。上流側の予備室２１及び下流側の予備室２２それぞれは、コンベヤ１４によって食品７が通過するトンネル状の構成を備えており、オーブン本体１１内の加熱室１２と連続している。図４は上流側の予備室２１の説明図である。予備室２１は、搬送路１８の一部を構成するトンネル状の通路３５を有しており、この通路３５が第一加熱領域Ｒ１と繋がっている。通路３５の上流側端部は食品７の入口部となり、この入口部には昇降可能な扉３６が設けられている。食品７の高さに応じて入口部の高さＨを変更することができ、オーブン本体１１の開口を予備室２１によって可及的に狭くしている。この構成によれば、最も上流側の加熱領域Ｒ１の蒸気（熱）の漏洩、及び、この加熱領域Ｒ１への外気の流入を、予備室２１によって抑制することができ、加熱領域Ｒ１の温度を安定させ、食品７の品質を向上させることが可能となる。また、下流側の予備室２２においても、上流側の予備室２１と同様の構成を備えており、最も下流側の加熱領域Ｒ４の蒸気（熱）の漏洩、及び、この加熱領域Ｒ４への外気の流入を、予備室２２によって抑制することができる。扉３６にはヒータ３７が設置されており、扉３６に水滴が付着するのを防止し、水滴がコンベヤ１４上の食品７に付着するのを防いでいる。
【００２７】
〔コンベヤ１４〕
コンベヤ１４は、無端軌道を含む構成であり、本実施形態では、左右両側の環状チェーンと、これらチェーンの間のネットとを有するネットコンベヤである。図２に示すように、食品７を載せるコンベヤ上面１４ａは、加熱室１２（オーブン本体１１の内部）を通過するが、折り返しのコンベヤ下面１４ｂは、加熱室１２（オーブン本体１１）の外部を通過する。
【００２８】
〔仕切り部材１３〕
図５（Ａ）は仕切り部材１３の説明図である。仕切り部材１３は、板状の部材であり、搬送路１８の上側と下側と左右両側にそれぞれ設けられている。上側の仕切り部材１３ａは、加熱室１２の内壁上面１２ａ及び左右の内壁側面１２ｂの上部の三面との間で隙間が無くなるようにして設けられている。下側の仕切り部材１３ｂは、加熱室１２の内壁下面１２ｃ及び左右の内壁側面１２ｂの下部の三面との間で隙間が無くなるようにして設けられている。左右の仕切り部材１３ｃ，１３ｄは、加熱室１２の左右の内壁側面１２ｂの中間部との間で隙間が無くなるようにして設けられている。図５（Ａ）では、加熱室１２の内壁上面１２ａ、内壁側面１２ｂ及び内壁下面１２ｃ（並びに後述する中屋根５６）を二点鎖線で示している。
【００２９】
下側の仕切り部材１３ｂは、食品７を載せるコンベヤ上面１４ａと、オーブン本体１１の内壁下面１２ｃとの間に設けられている。このため、上側の仕切り部材１３ａと下側の仕切り部材１３ｂとによって搬送路１８を上下に挟み、左右両側の仕切り部材１３ｃ，１３ｄによって搬送路１８を左右に挟む構成となり、搬送路１８上の必要最小限の開口を残して加熱室１２を区画することができる。この結果、隣り合う加熱領域Ｒｉの温度等の条件を異ならせるのに好適な構成となる。
【００３０】
上側の仕切り部材１３ａの下縁３８は、左右方向の中央３８ａが最も高く、左右方向の端部３８ｂ，３８ｃが最も低くなる傾斜形状を有している。この構成によれば、仕切り部材１３ａに付着して下縁３８に到達した水滴を左右方向の端部３８ｂ，３８ｃに集めることができ、水滴が落下して食品７に付着するのを防止し、食品７の品質が低下するのを防いでいる。また、水滴の落下を更に効果的に防止するために、下縁３８は、図５（Ｂ）に示すように、仕切り部材１３ａに沿って下へ垂れた水滴を受けて端部３８ｂ，３８ｃ側へ誘導する樋部４０を有している。図５（Ｂ）は、図５（Ａ）のＢ矢視の断面図であり、上側の仕切り部材１３ａの下縁３８を示す説明図である。
【００３１】
また、図５（Ａ）に示すように、下側の仕切り部材１３ｂの下縁３９は、左右方向の一端部３９ａが最も高く、左右方向の他端３９ｂが最も低くなる傾斜形状を有している。この下縁３９の傾斜形状は、加熱室１２の内壁下面１２ｃの傾斜形状に対応している。左右方向の他端３９ｂ側を低くすることで余分な水滴を集めて外部へ排出することができる。
【００３２】
図２及び図５（Ａ）に示すように、加熱領域Ｒｉそれぞれの上部には、中屋根５６が設けられている。中屋根５６は、上ヒータ１５の上方でかつ加熱室１２の内壁上面１２ａの下方に設けられており、加熱領域Ｒｉの屋根を構成している。中屋根５６の下面は、左右方向の中央が最も高く、左右方向の両側が最も低くなる傾斜形状を有している。このように、同じ空間（加熱領域Ｒｉ）の中に中屋根５６が設けられることで、この空間と中屋根５６との温度が同じになり天井（中屋根５６）に露が付き難くなり、加熱領域Ｒｉの天井に露（水滴）が付着したとしても、前記傾斜形状によって左右方向の両側に集められ、水滴が落下して食品７に付着するのを防止することができる。
【００３３】
〔電気式のヒータ１５〕
ヒータ１５が電気式である場合について説明する。図２に示すように、加熱領域Ｒｉそれぞれに上ヒータ１５と下ヒータ１５とが設置されているが、上下で構成が異なっている。図６は、下ヒータ１５を上から見た場合の説明図である。電気式の下ヒータ１５は、ニクロム線を金属製パイプによって覆ったＵ字形状であるシーズヒータ４０を有して構成されており、複数のシーズヒータ４０が一方向に並んで設けられて面状となっている。この下ヒータ１５が（図２参照）コンベヤ１４を間に挟んで搬送路１８に下から面するように設置される。
【００３４】
図７は、上ヒータ１５を下から見た場合の説明図である。電気式の上ヒータ１５は、ニクロム線を金属製パイプによって覆ったＵ字形状であるシーズヒータ４１と、金網２３とを有して構成されている。複数のシーズヒータ４１が一方向に並んで設けられて面状となっている。これらシーズヒータ４１の全面を下から覆うように金網２３が設けられている。金網２３は例えばステンレス製である。金網２３によって上ヒータ１５の熱を分散させることができ、食品７の上面の焼きムラを防ぐことができる。本実施形態では、一枚の金網２３の下に、別の金網２３を部分的に重ねて設けることで、網目２４（網目形状）を部分的に異ならせている。具体的には、複数並ぶシーズヒータ４１の、基部４２（図７では左側の領域）と、中央部４３と、先部４４（図７では右側の領域）において、一枚の金網２３の上に別の金網２３が重ねられている。シーズヒータ４１では、これら基部４２、中央部４３及び先部４４の出力が他と比較して高くなることから、これらの部分に対応する領域において網目２４を狭く（細かく）している。このように、上ヒータ１５は、その下側において金網２３により覆われており、この金網２３の網目２４が部分的に異なっている。金網２３を下面側に有する下ヒータ１５が（図２参照）搬送路１８に面するように設置される。以上のように、ヒータ１５の出力が部分的に高くなることがあっても、このような部分に対向する金網２３の網目２４を他よりも狭くすることで、ヒータ１５の熱を均一化し、より一層効果的に焼きムラを防ぐことが可能となる。なお、網目２４を部分的に異ならせるための構成としては、前記のように金網２３を重ねる以外として、一枚の金網２３において部分的に網目２４を異ならせてもよい。また、金網２３は、面状となって並ぶ複数のシーズヒータ４１の一部を覆う構成であってもよい。
【００３５】
以上のように、上下のヒータ１５が電気式である場合、上ヒータ１５は、その下側において金網２３により覆われており、下ヒータ１５は、金網２３により覆われておらず搬送路１８側に露出している。この構成によれば、上ヒータ１５の熱を金網２３によって分散させることができ、食品７の上面の焼きムラを防ぐことができる。そして、容器やトレイ等に入れてコンベヤ１４で搬送される食品７の下面側は焼きムラが生じにくいため、下ヒータ１５は金網により覆われておらずに露出している。また、下ヒータ１５は金網により覆われていないため、例えば食品７から異物が落ちても堆積し難く、清掃が容易となる。
【００３６】
〔ガス式のヒータ１５〕
ヒータ１５がガス式である場合について説明する。ガス式の場合においても、加熱領域Ｒｉそれぞれに上ヒータ１５と下ヒータ１５とが設置されているが、上下で構成が異なっている。図８は、上ヒータ１５を上から見た場合の説明図であり、図９は、この上ヒータ１５を側方から見た場合の断面図である。上ヒータ１５は、ガス焚きパネルヒータ２８であり、矩形のフレーム２５と、このフレーム２５の一部に格納されているガスバーナ２６と、フレーム２５に並列して設けられている複数本の輻射管２７とを有する。この上ヒータ１５は更に排気ファン４５を有しており、排気ファン４５は輻射管２７内を吸引する。これにより、ガスバーナ２６が発生させた炎が輻射管２７内に引き込まれ、この炎による熱が輻射管２７を通じて放射される。このようにパネル型に構成されている上ヒータ１５は、搬送路１８に面するように設置され、遠赤外線による加熱が可能となる。また、蒸気噴出器１６が噴出した蒸気によって加熱領域Ｒｉが蒸気の雰囲気となっていても、この上ヒータ１５によればガスによる炎が外部に露出しないため、蒸気によって炎の発生が邪魔されなくなり、失火を防ぐことができる。
【００３７】
図１０（Ａ）は、ガス式である下ヒータ１５の側面図であり、図１０（Ｂ）は、この下ヒータ１５の一部を拡大して示す（図１０のＣ矢視）断面図である。下ヒータ１５は、棒状に構成されている二重管ガスヒータ３２を複数並べて構成されて面状となっている。二重管ガスヒータ３２は、エアとガスとにより炎を得るリボンバーナ２９と、このリボンバーナ２９に沿って設けられエアを放出するエア配管３０と、これらリボンバーナ２９及びエア配管３０を収容すると共に上方に開口している外側管３１とを有している。リボンバーナ２９には、ガスとエア（空気）との混合ガスが供給され、上部において炎が得られる。エア配管３０には、エア（二次エア）が供給され、その管壁に設けられている開口４６（図１０（Ｂ）参照）からエアが噴出され、この二次エアによって外側管３１内が満たされ、リボンバーナ２９の炎を覆うことができる。これにより、蒸気噴出器１６が噴出した蒸気によって加熱領域Ｒｉが蒸気の雰囲気となっていても、二次エアによって炎の発生が、この蒸気によって邪魔されなくなり、失火を防ぐことができる。このように下ヒータ１５は、前記構成を有する複数の二重管ガスヒータ３２により構成されている。
【００３８】
以上のように、前記のような構成を備えているガス式の上下ヒータ１５によれば、加熱領域Ｒｉが蒸気の雰囲気になる場合においてヒータ１５が失火しない。また、下ヒータ１５をリボンバーナ２９としているが、上ヒータ１５をパネル型とすることで、食品７の上面の焼きムラを効果的に防ぐことができる。
【００３９】
〔蒸気噴出器１６〕
図１１（Ａ）は、蒸気噴出器１６を上から見た場合の説明図である。図外のボイラを含む蒸気発生器４８（図１２参照）において発生させた蒸気が、加熱領域Ｒｉそれぞれの下部に設けられている蒸気噴出器１６に供給される。図１１（Ａ）に示す蒸気噴出器１６は、前記蒸気発生器４８と繋がっている共通配管４７と、この共通配管４７から分岐している二本の噴出用の配管（噴霧管）３３とを有しており、これら二本の噴出用の配管３３に設けられている複数の噴出口３４から蒸気を加熱領域Ｒｉに噴出する。図１１（Ｂ）は、噴出用の配管３３の断面図である。噴出口３４は、下向き成分を有して蒸気を噴出する。これにより、加熱領域Ｒｉを蒸気による雰囲気としやすい。また、本実施形態では、一つの噴出用の配管３３から噴出する蒸気（矢印Ｇ１）と、他方の噴出用の配管３３から噴出する蒸気（矢印Ｇ２）とが衝突する向きに、噴出口３４は位置している（開口している）。この構成によれば、過剰な水分を除くことができ、食品７の品質を向上させることが可能となる。また、蒸気噴出器１６は、噴出口３４の開口方向を変更できるように構成されており、噴出する蒸気を衝突させない（又は衝突させ難い）ようにもすることができ、蒸気の乾き具合を調整してもよい。この変更（調整）を行うために、噴出用の配管３３をその中心線回りに回転可能な構成とすればよい。
【００４０】
図１２は、四つの加熱領域Ｒｉ（ｉ＝１〜４）それぞれに個別に設置されている蒸気噴出器１６と、蒸気発生器４８から蒸気噴出器１６までの配管部４９を説明する構成図である。蒸気発生器４８は、飽和蒸気の他に過熱蒸気を発生させることができる。前記配管部４９には、第一切り替え弁５０−１、第二切り替え弁５０−２、第一減圧弁５１、第二減圧弁５２、及び、蒸気噴出器１６用の開閉弁５５−１〜５５−４を有している。これら各弁の開閉制御は、制御部２０からの制御信号に基づいて行われる。または、各弁の開閉を作業者が手動で行ってもよい。
【００４１】
開閉弁５５−１〜５５−４を開状態とすることで、蒸気噴出器１６から加熱領域Ｒ１〜Ｒ４に蒸気を供給することができ、閉状態とすることで蒸気の供給が停止される。開閉弁５５−１〜５５−４それぞれの開閉制御は制御部２０によって行われ、所定の（一部又は全部の）開閉弁５５−１〜５５−４が開状態となり、（一部又は全部の）加熱領域Ｒ１〜Ｒ４が蒸気の雰囲気となる。
【００４２】
第一切り替え弁５０−１は、蒸気発生器４８の飽和蒸気発生用のボイラ４８ａの下流側配管に設けられており、第二切り替え弁５０−２は、蒸気発生器４８の過熱蒸気発生用のボイラ４８ｂの下流側配管に設けられており、これら下流側配管は合流している。第一切り替え弁５０−１と第二切り替え弁５０−２との内の一方を開状態とし他方を閉状態とすることで、過熱蒸気と飽和蒸気とを切り替えて蒸気噴出器１６から噴出させることが可能となる。つまり、このオーブン１０は、過熱蒸気と飽和蒸気とを切り替えて蒸気噴出器１６から噴出させるための切り替え部１９として、第一切り替え弁５０−１と第二切り替え弁５０−２とを備えている。この構成により、加熱領域Ｒｉそれぞれにおいて、食品７の種類や加熱の種類に応じて過熱蒸気と飽和蒸気とを使い分けることができる。
【００４３】
蒸気噴出器１６の出力の調整は制御部２０によって行われる。すなわち、制御部２０からの制御信号に基づいて、蒸気発生器４８において発生させる蒸気の量を調整することで、蒸気噴出器１６からの出力、つまり、噴出する蒸気の量を調整することができる。また、前記第二減圧弁５２を用いることで圧力の低い蒸気を出力することも可能である。
【００４４】
〔加熱調理〕
以上の構成を備えているオーブン１０（図１参照）が行う加熱調理（加熱調理のための制御）の具体例について説明する。加熱調理のために、制御部２０は、下記に定義する第一動作と第二動作とを択一的に選択して食品７を加熱する制御を行う。
＜第一動作＞ヒータ１５及び蒸気噴出器１６の双方を同時に機能させる。
＜第二動作＞ヒータ１５と蒸気噴出器１６との内の一方のみを機能させる。
なお、第一動作では、ヒータ１５を上下双方用いてもよく、一方のみでもよい。また、第二動作においてヒータ１５を機能させる場合、上下双方用いてもよく、一方のみでもよい。
【００４５】
更に、制御部２０は、前記第一動作と前記第二動作とを、四つの区画された加熱領域Ｒｉ（ｉ＝１〜４）それぞれにおいて、個別に選択して食品７を加熱する制御を行うことができる。つまり、各加熱領域Ｒｉ（ｉ＝１〜４）それぞれにおいて行うべき加熱方式を、制御部２０が有する操作パネルに対して作業者が入力すると、この入力に応じて、制御部２０は、加熱領域Ｒｉ（ｉ＝１〜４）それぞれにおいて第一動作と第二動作とを択一的に選択して行う。例えば、制御部２０は、第一加熱領域Ｒ１では第一動作を行い、他の加熱領域Ｒ２〜４では第二動作を行う制御を行う。この場合、第一加熱領域Ｒ１において行われる第一工程は「蒸し焼き（スチーム焼成）」となり、その後に続く加熱領域Ｒ２〜４で行われる第二〜第四工程は「焼成工程」となる。このように、本実施形態のオーブン１０では、加熱領域Ｒｉ（ｉ＝１〜４）それぞれにおいて、第一動作と第二動作との内の一方を選択して食品７の加熱を行うことが可能となり、加熱領域Ｒｉ（ｉ＝１〜４）それぞれで異なる工程（例えば異なる温度設定による加熱調理）を行うことが可能である。第一動作を行う場合であっても、第二動作を行う場合であっても、制御部２０は、上温度センサ１７によって加熱領域Ｒｉ（ｉ＝１〜４）それぞれにおける搬送路１８よりも上方位置（上空間）の温度を一定とする制御（フィードバック制御）を行うことができ、下温度センサ１７によって加熱領域Ｒｉ（ｉ＝１〜４）それぞれにおける搬送路１８よりも下方位置（下空間）の温度を一定とする制御（フィードバック制御）を行うことができる。制御部２０は、上空間と下空間との温度が異なるように制御することもできる。加熱領域Ｒｉ（ｉ＝１〜４）において異なる工程（異なる加熱調理）を行う場合、温度センサ１７の温度計測結果に基づくヒータ１５及び／又は蒸気噴出器１６の出力の制御において、加熱領域Ｒｉ（ｉ＝１〜４）それぞれでの温度管理（温度制御）が複雑になることが考えられる。そこで、本実施形態では、これを防ぐために、制御部２０は、前記第一動作が選択された場合、ヒータ１５と蒸気噴出器１６との内の一方の出力を一定とし、ヒータ１５と蒸気噴出器１６との内の他方の出力を可変とする制御を行うように構成されている。
【００４６】
具体的な食品７の加熱調理例について説明する。ここでは、フランスパンの加熱調理の例を説明する。コンベヤ１４上にトレイ（図示せず）を載せて、このトレイの上にフランスパンの生地を搬送方向に間隔をあけて載せ、これらをコンベヤ１４によって搬送しながら連続的に蒸し焼き（スチーム焼成）及び焼成（スチームを用いない焼成）を行う。このために、加熱領域Ｒｉ（ｉ＝１〜４）それぞれを次のとおりの温度に一定に保つ制御が、制御部２０によって行われる。
・第一加熱領域Ｒ１「上空間：中温」「下空間：高温」
・第二加熱領域Ｒ２「上空間：低温」「下空間：高温」
・第三加熱領域Ｒ３「上空間：中温」「下空間：高温」
・第四加熱領域Ｒ４「上空間：高温」「下空間：高温」
そして、第一加熱領域Ｒ１では前記第一動作（蒸し焼き、スチーム焼成）が行われ、第二〜第四加熱領域Ｒ２〜４ではヒータ１５のみを機能させる場合の前記第二動作（焼成）が行われる。なお、前記低温は１１０度〜１５０度の温度であり、前記中温は１６０度〜２２０度の温度であり、高温は２６０度〜３００度の温度である。
【００４７】
第一加熱領域Ｒ１でのみ蒸気噴出器１６から蒸気を噴出している。そして、この第一加熱領域Ｒ１及び他の加熱領域Ｒ２，Ｒ３，Ｒ４における前記温度条件は、本発明の発明者による試行錯誤の結果、見出された条件である。このように加熱調理の条件を設定することで、次の効果が得られる。すなわち、フランスパンのように砂糖含有量が少ない場合、高温短時間で焼き上げるため、表面のクラスタの効果が比較的早く釜伸びの邪魔になる。そこで、この釜伸びを助けるために、第一加熱領域Ｒ１では、水蒸気を添加して生地の表面に薄い水の膜を形成し、クラスタを柔らかくして釜伸びを助けている。また、表面の焼き色の色付きを良くすることもできる。なお、その後の加熱領域Ｒ２以降において、蒸気噴出器１６から蒸気を噴出すると、焼きあがるフランスパンの品質が低下するおそれがある。そして、第二加熱領域Ｒ２の上空間を低温としている。これは、仮に第二加熱領域Ｒ２の上空間が高温であると、生地が膨らむ前にその表面が固まってしまい大きく膨らまなくなるためである。そして、第三加熱領域Ｒ３及び第四加熱領域Ｒ４それぞれにおいて、下空間の温度を（高温の範囲でも）高くしている。これは、本実施形態では、コンベヤ１４による連続焼成のためにコンベヤ１４上にトレイを載せて、そのトレイの上に生地を置くことから、フランスパンの下側に焼き色が付きにくくなるが、前記のとおり下空間の温度を（高温の範囲でも）高くすることで、焼き色を付けやすくすることができる。以上より、このオーブン１０によって美味しいフランスパンを連続焼成することができる。
【００４８】
また、本実施形態のオーブン１０によれば、蒸し、焼き、蒸し焼き等の工程を１台により行うことが可能であり、工程毎に装置が不要となり、経済的であり、また、省スペース化が可能となる。そして、食品７の種類に応じて加熱方法を選択でき（つまり、加熱領域Ｒｉ毎に前記第一動作と前記第二動作とを選択でき、また、温度を設定することができ）、使用者それぞれによって各加熱領域Ｒｉにおける加熱方法を組み合わせて用いることが可能となる。
【００４９】
以上のとおり開示した実施形態はすべての点で例示であって制限的なものではない。つまり、本発明のハイブリッドオーブンは、図示する形態に限らず本発明の範囲内において他の形態のものであってもよい。前記実施形態では、加熱領域Ｒｉの区画数を「４」としたが、この数は変更可能である。また、このハイブリッドオーブンは、食品の加熱調理以外として、食品等の加熱による殺菌を行うことも可能である。
【符号の説明】
【００５０】
７：食品                  １０：ハイブリッドオーブン    １１：オーブン本体
１２：加熱室              １３：仕切り部材              １４：コンベヤ
１４ａ：コンベヤ上面      １４ｂ：コンベヤ下面          １５：ヒータ
１６：蒸気噴出器          １７：温度センサ              １８：搬送路
１９：切り替え部          ２０：制御部                  ２１，２２：予備室
２３：金網                ２４：網目                    ２５：フレーム
２６：ガスバーナ          ２７：輻射管                  ２８：パネルヒータ
２９：リボンバーナ        ３０：エア配管                ３１：外側管
３２：二重管ガスヒータ    ３３：配管                    ３４：噴出口
３８：下縁                ３８ａ：中央                  ３８ｂ，３８ｃ：端部
Ｒｉ：加熱領域
【図１】
2018201766.tif 000003
【図２】
2018201766.tif 000004
【図３】
2018201766.tif 000005
【図４】
2018201766.tif 000006
【図５】
2018201766.tif 000007
【図６】
2018201766.tif 000008
【図７】
2018201766.tif 000009
【図８】
2018201766.tif 000010
【図９】
2018201766.tif 000011
【図１０】
2018201766.tif 000012
【図１１】
2018201766.tif 000013
【図１２】
2018201766.tif 000014